(57)【要約】【課題】機器の運転状態が遠くからでも一目で確認でき、かつ異常時にもいち早くその状態を視覚的に訴求する。【解決手段】温風吹出し口６の周囲または内部あるいはその双方に複数個の吹出し口ランプ１０を設け、操作部１１に設けた燃焼ランプ１６と連動させ点灯発光させることで、遠くからでも運転状態が確認できるようにする。【選択図】図１
2005172289.tif 000002
【特許請求の範囲】
【請求項１】
バーナーと、該バーナで発生した燃焼ガスと外部より取り込んだ空気を混合する燃焼室と、空気を吸い込み燃焼室を経由して温風を送出する対流用ファンと、温風吹出し口と、空気吸い込み部に配設した網目状の対流用フィルターと、前記温風吹出し口あるいは対流用フィルター等が閉塞されたとき温風温度の変化を検出する温度検出手段と、前記温風温度が予め設定された温度より高くなった場合に異常と判断し燃焼量を低下あるいは燃焼を停止する制御器と、運転スイッチＯＮ時と所定のシーケンス経過後に表示形態を変えて報知する燃焼ランプと、異常時にエラーモードを表示するエラー表示部と、前記温風吹出し口の周囲または内部あるいはその双方に設けた吹出し口ランプを備え、前記吹出し口ランプは前記運転状態に応じて表示形態を変更するようにした温風暖房装置。
【請求項２】
吹出し口ランプは燃焼ランプに連動して点灯させ、運転スイッチＯＮ後、燃焼開始までは第１の表示形態、燃焼中は第２の表示形態、運転スイッチＯＦＦ後、機器の温度が低下し対流用ファンが停止するまでは第３の表示形態とした請求項１記載の温風暖房装置。
【請求項３】
異常により燃焼が停止した場合、吹出し口ランプは運転中と異なる表示形態とした請求項１記載の温風暖房装置。
【請求項４】
温風吹出し口近傍に温風温度の変化を検出する温度検出手段を設け、前記温度検出手段の信号により燃焼時の吹出し口ランプの明るさを変化させるようにした請求項１記載の温風暖房装置。
【請求項５】
温風吹出し口の周囲にファンガイドを設け、該ファンガイドはステンレス鋼板等の反射板で構成した請求項１記載の温風暖房装置。
【請求項６】
切替えスイッチを設け、任意に吹出し口ランプの点灯、消灯ができるようにした請求項１記載の温風暖房装置。
【発明の詳細な説明】
【技術分野】
【０００１】
本発明は、室内空気を吸い込み燃焼ガスと混合して温風吹出口より吹き出し、室内を暖房する温風暖房装置に関するものである。
【背景技術】
【０００２】
従来、この種の温風暖房機としては図６に示すように、本体前板等に表示器を突出して設け、機器正面・両側面・上面より運転状態を前記表示器の発光により確認できる構成としたものがある（例えば、特許文献１参照）。
【０００３】
図６において、１は温風暖房機本体で、２は前面上部に備えられた操作部、３は温風を吹き出すルーバー４を取り付けた温風吹き出し口、５は背面の温風取り入れ口６に取り付けられた対流用ファン、９はバーナーヘッド部１０を突出して設けられたバーナー部で、１１はバーナーヘッド１０を囲み燃焼空間を形成する燃焼筒である。
【０００４】
３３は操作部２と温風吹き出し口３との間の中央部に設けらたカラー表示部で、赤色及び緑色の２色発光する発光部３４と、この発光部３４の光をカラー表示部３３の周囲に拡散させる拡散レンズ３５とにより構成されている。
【特許文献１】特開２００１−３３６８２９号公報
【発明の開示】
【発明が解決しようとする課題】
【０００５】
しかしながら上記従来の構成では、表示器を突出して設け、機器正面・両側面・上面より運転状態が発光により確認できるものであるが、表示器が小さいため、遠くからはその運転状態がはっきりと確認できないという課題を有していた。特に、ガスを使用した温風暖房装置は運転音が静かであり、弱燃焼の場合は騒音が２２ｄＢと低く、燃焼しているかどうか一目で確認できないため、消し忘れし、燃焼しっぱなしの状態で外出するといった課題を有していた。
【０００６】
本発明は上記従来の課題を解決するもので、温風吹出し口の広い面からのランプの点灯により、遠くからでも一目で機器の運転状態が確認でき、かつ、異常時にもいち早くその状態を視覚的に訴えることのできる温風暖房機を提供することを目的としている。
【課題を解決するための手段】
【０００７】
前記従来の課題を解決するために、本発明の温風暖房装置は、バーナーと、該バーナで発生した燃焼ガスと外部より取り込んだ空気を混合する燃焼室と、空気を吸い込み燃焼室を経由して温風を送出する対流用ファンと、温風吹出し口と、空気吸い込み部に配設した網目状の対流用フィルターと、前記温風吹出し口あるいは対流用フィルター等が閉塞されたとき温風温度の変化を検出する温度検出手段と、前記温風温度が予め設定された温度より高くなった場合に異常と判断し燃焼量を低下あるいは燃焼を停止する制御器と、運転スイッチＯＮ時と所定のシーケンス経過後に表示形態を変えて報知する燃焼ランプと、異常時にエラーモードを表示するエラー表示部と、前記温風吹出し口の周囲または内部あるいはその双方に設けた吹出し口ランプを備え、前記吹出し口ランプは前記運転状態に応じて表示形態を変更するようにしたものである。
【０００８】
これによって、機器前面にある温風吹出し口部の広い面積から発光させることができ、遠くからでも一目で運転状態が確認できる。また、温風吹出し口の発光状態を運転状態に応じて変化させることで、擬似的に温風を光で見せることができ、暖かさを視覚で感じることができるとともに、運転状態を視覚的に表現することができ、使い勝手のよさも向上することができる。
【発明の効果】
【０００９】
本発明の温風暖房装置は、温風吹出し口の周囲または内部に吹出し口ランプを設けたことにより機器前面の広い面積から発光させることができるため、遠くからでも一目で運転状態が確認でき、外出時のつけっ放しを防止できるとともに、運転状態を視覚的に表現することができ、暖房感の向上、異常時における迅速な報知等、使い勝手の向上を図ることができる。
【発明を実施するための最良の形態】
【００１０】
第１の発明は、バーナーと、該バーナで発生した燃焼ガスと外部より取り込んだ空気を混合する燃焼室と、空気を吸い込み燃焼室を経由して温風を送出する対流用ファンと、温風吹出し口と、空気吸い込み部に配設した網目状の対流用フィルターと、前記温風吹出し口あるいは対流用フィルター等が閉塞されたとき温風温度の変化を検出する温度検出手段と、前記温風温度が予め設定された温度より高くなった場合に異常と判断し燃焼量を低下あるいは燃焼を停止する制御器と、運転スイッチＯＮ時と所定のシーケンス経過後に表示形態を変えて報知する燃焼ランプと、異常時にエラーモードを表示するエラー表示部と、前記温風吹出し口の周囲または内部あるいはその双方に設けた吹出し口ランプを備え、前記吹出し口ランプは前記運転状態に応じて表示形態を変更するようにしたことを特徴とするもので、機器前面にある温風吹出し口部の広い面積から発光させることができるため、遠くからでも一目で運転状態が確認でき、外出時のつけっ放しを防止できる。また、運転状態に応じて変化させることで、擬似的に温風を光で見せることができ、暖かさを視覚で感じることができるとともに、運転状態を視覚的に表現することができ、使い勝手のよさも向上することができる。
【００１１】
第２の発明は、吹出し口ランプは燃焼ランプに連動して点灯させ、運転スイッチＯＮ後、燃焼開始までは第１の表示形態、燃焼中は第２の表示形態、運転スイッチＯＦＦ後、機器の温度が低下し対流用ファンが停止するまでは第３の表示形態としたことを特徴とするもので、一連の燃焼動作において、所定のシーケンス毎に表示形態を変更することで、運転状態が一目瞭然に判別できる。例えば、燃焼ランプと連動しガスが燃焼している間、吹出し口ランプは赤点灯をし、非燃焼時で対流用ファンが回っている間は緑点灯するものであり、燃焼〜非燃焼の状態が吹出し口ランプの色で見分けることができる。燃焼中は擬似的に温風が赤く光を発しているように見せることができ、暖かさを視覚で感じることができる。また機器が停止した後、従来であれば対流用ファンが回っていることが確認しにくいものであったが、本発明では温風吹出し口部の広い面積から緑色で発光させることができるためその確認は容易であり、安全面でも優れたものである。
【００１２】
第３の発明は、異常により燃焼が停止した場合、吹出し口ランプは運転中と異なる表示形態としたことを特徴とするもので、温風吹出し口部の広い面積から異常であることの信号を発することができ、いち早くユーザーに知らせることができる。
【００１３】
第４の発明は、温風吹出し口近傍に温風温度の変化を検出する温度検出手段を設け、前記温度検出手段の信号により燃焼時の吹出し口ランプの明るさを変化させるようにしたことを特徴とするもので、温風暖房装置を使用している部屋の暖房負荷が変化すると、燃焼量も変化し温風温度も変化する。その温風温度の変化を吹出し口ランプの明るさの変化につなげることで、機器の燃焼が温調していることを視覚的にユーザーに知らせることができ安心感を得ることができる。
【００１４】
第５の発明は、温風吹出し口の周囲にファンガイドを設け、該ファンガイドはステンレス鋼板等の反射板で構成したことを特徴とするもので、吹出し口ランプの光を反射板に当てることで、より鮮明に見せることができ、部屋の広い範囲から機器の運転状態が確認できるものである。
【００１５】
第６の発明は、切替えスイッチを設け、任意に吹出し口ランプの点灯、消灯ができるようにしたことを特徴とするもので、就寝時等に吹出し口ランプを消したい場合、その選択を容易にできるようにしたもので、使い勝手にも考慮したものである。
【００１６】
以下、本発明の実施の形態について、図面を参照しながら説明する。なお、本実施の形態によって本発明が限定されるものではない。
【００１７】
（実施の形態１）
図１は、本発明の第１の実施例における温風暖房装置の側面断面図、図２は温風暖房装置の操作部構成図である。
【００１８】
図１、図２において、バーナー１にて供給されたガスの燃焼を行う。燃焼により発生した排気ガスと空気を混合する燃焼室２がある。バーナー１の下方には温風３を送出するための対流用ファン４がファンガイド１９とともに設けられている。対流用ファン４の前方には温風を導くルーバー５を取り付けた温風吹出し口６があり、その周囲に複数個の吹出し口ランプ１０を設け、操作部１１に備えた運転操作を行う電装基板１２に電気的につながっている。ケース７の後面には対流用空気８を取り入れるための網目状の対流用フィルター９がある。制御器１３はバーナー１、対流用ファン４、電装基板１２と図の破線で電気的につながっていて、各部品の制御をしている。
【００１９】
以上のように構成された温風暖房装置について、以下その動作・作用について説明する。
【００２０】
電装基板１２に組み込まれた運転ボタン１４を押すと運転スイッチ１５がＯＮになり、制御器１３に信号が送られ、点火動作に入ると共に燃焼ランプ１６が第１の光を発する。この第１の光は緑色が一般的である。バーナー１でガスを燃焼させ、発生する高温の排気ガスと、燃焼室２の燃焼風路内で対流用フィルター９を通過した対流用空気が混合される。混合された温風は、対流用ファン４によって前面下部の温風吹出し口６から温風３になって送出され暖房を行う。所定のシーケンスを経過しバーナー１でガスが安定燃焼に入ると、燃焼ランプ１６は第２の光に変化する。この第２の光は赤色が一般的である。この時、電装基板１２に電気的につながっている複数個の吹出し口ランプ１０は、前記燃焼ランプ１６と連動して予め定めたシーケンス毎に表示形態を変化させて点灯するようにしており、燃焼状態においては温風吹出し口６全体が赤く光を発するようにして、視覚的に暖房感を高めるようにしてある。
【００２１】
以上のように本実施例においては、機器前面にある温風吹出し口部の広い面積から発光させることができるため、遠くからでも一目で運転状態が確認でき、外出時のつけっ放しを防止できる。また、操作部の燃焼ランプとも連動しているため、より広範囲にわたり機器の運転状態が確認できる。
【００２２】
（実施の形態２）
本発明の第２の実施の形態について説明すると、複数個の吹出し口ランプ１０は２色発光ＬＥＤを用い、電装基板１２に組込まれた燃焼ランプ１６と連動して、燃焼開始までのプリパージ間は第１の表示形態として緑点灯、燃焼中は第２の表示形態として赤点灯、運転スイッチ１５をＯＦＦ後、機器の温度が低下し対流用ファン４が停止するまでのポストパージ間は第３の表示形態として再び緑点灯をするものである。これにより燃焼〜非燃焼の状態が吹出し口ランプの色で見分けることができる。燃焼中は擬似的に温風が赤く光を発しているように見せることができ、暖かさを視覚で感じることができる。また機器が停止した後、従来であれば対流用ファンが回っていることが確認しにくいものであったが、本発明では温風吹出し口部の広い面積から緑色で発光させることができるためその確認は容易であり、安全面でも優れたものである。なお、本実施の形態においては表示形態として、２色ＬＥＤを用いたが、これに限定されるものではない。
【００２３】
（実施の形態３）
本発明の第３の実施の形態について説明すると、使用中に何らかの異常で機器が燃焼停止した場合、吹出し口ランプ１０は燃焼ランプ１６と連動して、正常運転時の表示形態と異なる表示形態としたもので、例えば、赤点滅をさせるとともに、操作部１１に設けたエラー表示部１７に信号を送るようにしたものである。これにより、温風吹出し口部の広い面積から異常であることの信号を発することができ、いち早くユーザーに知らせることができる。
【００２４】
（実施の形態４）
図３は、本発明の第４の実施の形態における温風暖房装置の側面断面図である。
【００２５】
図３において、温風吹出し口６近傍に温風温度の変化を検出する温度検出手段であるサーミスタ１８を設け、制御器１３と連動させてサーミスタ１８の信号により燃焼時の吹出し口ランプの赤点灯の明るさを変化させるようにしたものである。これにより、使用している部屋の暖房負荷が変化すると、燃焼量も変化し温風温度も変化する。その温風温度の変化をサーミスタ１８が読取り、吹出し口ランプ１０の明るさの変化につなげることで、機器の燃焼が温調していることを視覚的にユーザーに知らせることができ安心感を与えることができる。
【００２６】
（実施の形態５）
本発明の第５の実施の形態を説明すると、図１において、温風吹出し口６の周囲に位置するファンガイド１９をステンレス鋼板等の反射板で構成したものであり、吹出し口ランプ１０の光をファンガイド１９の反射板に当てることで、温風吹出し口６の全体でより鮮明に見せることができ、部屋の広い範囲から機器の運転状態が確認できるものである。
【００２７】
（実施の形態６）
図４は、本発明の第６の実施の形態における温風暖房装置の側面断面図、図５は同温風暖房装置の操作部構成図である。
【００２８】
図４、図５において、燃焼ランプ１６点灯回路と吹出し口ランプ１０点灯回路の間に切替えスイッチ２０を設け、操作部１１に設けた電装基板１２上に配置し、必要に応じ吹出し口ランプ１０を消灯できるようにしたものである。就寝時等に吹出し口ランプ１０を消したい場合、その選択を容易にできるようにしたもので使い勝手にも考慮したものである。
【産業上の利用可能性】
【００２９】
以上のように、本発明にかかる温風暖房装置は、吹出し口の周囲または内部に吹出し口ランプを設けたことにより機器前面の広い面積から発光させることができるため、遠くからでも一目で運転状態が確認でき、外出時のつけっ放しを防止できるとともに、運転状態を視覚的に表現することができるため、冷房装置などにも適用できる。
【図面の簡単な説明】
【００３０】
【図１】本発明の実施の形態１における温風暖房装置の側面断面図
【図２】同温風暖房装置の操作部構成図
【図３】本発明の実施の形態４における温風暖房装置の側面断面図
【図４】本発明の実施の形態６における温風暖房装置の側面断面図
【図５】同温風暖房装置の操作部構成図
【図６】従来の温風暖房装置の断面図
【符号の説明】
【００３１】
１  バーナー
２  燃焼室
４  対流用ファン
６  温風吹出し口
９  対流用フィルター
１０  吹出し口ランプ
１３  制御器
１５  運転スイッチ
１６  燃焼ランプ
１７  エラー表示部
１８  サーミスタ（温度検出手段）
【図１】
2005172289.tif 000003
【図２】
2005172289.tif 000004
【図３】
2005172289.tif 000005
【図４】
2005172289.tif 000006
【図５】
2005172289.tif 000007
【図６】
2005172289.tif 000008